(57)【要約】      （修正有）【課題】使用時と収納時の取り扱い性に優れた高級感のあるスマートフォンケースを提供する。【解決手段】スマートフォンの裏面のカメラ機能部を除く略全体を覆ってスマートフォンを保持する保持板２と、保持板が取り付けられる基台片３と、基台片を覆うカバー片４とを備え、カバー片と基台片とが左右に連結され、基台片の右側に固定片５が連結して設けられ、スマートフォンを保持した保持板を基台片の上に重ねて着脱自在に固定し、カバー片を基台片の保持板が取り付けられる側の上に折り畳み、固定片をカバー片の上に折り畳んで着脱自在に固定することによってスマートフォンを覆って保護するように構成されたスマートフォンケースであって、保持板と基台片の固定が、保持板中に設けた磁性体と基台片中に設けた磁性体との間の磁力によって着脱自在に行なえる。【選択図】図４
0003213954.tif 000002
【実用新案登録請求の範囲】
【請求項１】
スマートフォンの裏面のカメラ機能部を除く略全体を覆ってスマートフォンを保持する保持板と、前記保持板が取り付けられる基台片と、前記基台片を覆うカバー片とを備え、前記カバー片と前記基台片とが左右に連結され、さらに前記基台片の右側に固定片が連結して設けられ、スマートフォンを保持した前記保持板を前記基台片の上に重ねて着脱自在に固定し、前記カバー片を前記基台片の前記保持板が取り付けられる側の上に折り畳み、前記固定片を前記カバー片の上に折り畳んで前記固定片と前記カバー片を着脱自在に固定することによってスマートフォンを覆って保護するように構成されたスマートフォンケースであって、前記保持板と前記基台片の固定が、前記保持板中に設けた磁性体と、前記磁性体とは磁性が異なる前記基台片中に設けた磁性体との間の磁力によって着脱自在に行なえるように構成されていることを特徴とするスマートフォンケース。
【請求項２】
前記固定片と前記カバー片の固定が、前記固定片中に設けた磁性体と、前記磁性体とは磁性が異なる前記カバー片中に設けた磁性体との間の磁力によって着脱自在に行なえるように構成されていることを特徴とする請求項１に記載のスマートフォンケース。
【請求項３】
スマートフォンの裏面のカメラ機能部を除く略全体を覆ってスマートフォンを保持する保持板と、前記保持板が取り付けられる基台片とを備え、前記カバー片と前記基台片とが左右に連結され、スマートフォンを保持した前記保持板を前記基台片の上に重ねて着脱自在に固定し、前記カバー片を前記基台片の前記保持板が取り付けられる側の上に折り畳んで少なくとも前記カバー片の下側と前記基台片の下側、及び前記カバー片の左側と前記基台片の右側とを線ファスナーで開閉自在に接合することによってスマートフォンを覆って保護するように構成されたスマートフォンケースであって、前記保持板と前記基台片の固定が、前記保持板中に設けた磁性体と、前記磁性体とは磁性が異なる前記基台片中に設けた磁性体との間の磁力によって着脱自在に行なえるように構成されていることを特徴とするスマートフォンケース。
【請求項４】
前記カバー片の上側と前記基台片の上側とを線ファスナーで開閉自在に接合するように構成されていることを特徴とする請求項３に記載のスマートフォンケース。
【考案の詳細な説明】
【技術分野】
【０００１】
本考案は、スマートフォンの使用時と収納時の取り扱い性に優れた高級感のあるスマートフォンケースに関する。
【背景技術】
【０００２】
近年、スマートフォンの使用割合が増加するにつれて、スマートフォンを適切に収納でき、かつ使い勝手の良いスマートフォンケースが多数提案されている。
【０００３】
例えば二つ折りに閉じることのできるスマートフォンの収納ケースとして、特許文献１が提案されている。具体的には、特許文献１では、表カバー部、裏カバー部、及び連結部を備え、二つ折りに折り畳むことができる構造を有するケースであって、表カバー部には、連結部と反対側の縁に、背面に向かって伸びる外に凸の円弧状断面を有するフックが備えられているものが提案されている。
【０００４】
しかしながら、特許文献１の収納ケースでは、スマートフォンのカメラを使用する場合、実際には収納ケースの表カバー部と裏カバー部などが付いたままカバーを開けて使用することになり、取り扱い性が極めて悪い問題があった。また、この収納ケースは、スマートフォンの収納保護方法が両カバー部の硬質プラスチック同士の挟み込みで行なわれるため、デザインの自由度が低く、高級感のある収納ケースを作ることが難しい問題があった。
【先行技術文献】
【特許文献】
【０００５】
【特許文献１】実用新案登録第３２００５３７号
【考案の概要】
【考案が解決しようとする課題】
【０００６】
本考案は、かかる従来技術の問題を解消するためになされたものであり、その目的は、使用時と収納時の取り扱い性に優れた高級感のあるスマートフォンケースを提供することにある。
【課題を解決するための手段】
【０００７】
本考案者は、かかる目的を達成するために鋭意検討した結果、スマートフォンを保持する保持板と、それを取り付ける基台片とを磁力によって着脱自在に設け、基台片の左側にカバー片を設け、カバー片を基台片の上に折り畳み、その後、基台片の右側に設けた固定片をカバー片の上に折り畳んで固定すること、あるいはスマートフォンを保持する保持板と、それを取り付ける基台片とを磁力によって着脱自在に設け、基台片の左側にカバー片を設け、カバー片を基台片の上に折り畳み、その後、カバー片と基台片の各端部を線ファスナーで開閉自在に接合することによって、使用時と収納時の取り扱い性に優れたスマートフォンを提供できることを見出し、本考案の完成に至った。
【０００８】
即ち、本考案は、以下の（１）〜（４）の構成を有するものである。
（１）スマートフォンの裏面のカメラ機能部を除く略全体を覆ってスマートフォンを保持する保持板と、前記保持板が取り付けられる基台片と、前記基台片を覆うカバー片とを備え、前記カバー片と前記基台片とが左右に連結され、さらに前記基台片の右側に固定片が連結して設けられ、スマートフォンを保持した前記保持板を前記基台片の上に重ねて着脱自在に固定し、前記カバー片を前記基台片の前記保持板が取り付けられる側の上に折り畳み、前記固定片を前記カバー片の上に折り畳んで前記固定片と前記カバー片を着脱自在に固定することによってスマートフォンを覆って保護するように構成されたスマートフォンケースであって、前記保持板と前記基台片の固定が、前記保持板中に設けた磁性体と、前記磁性体とは磁性が異なる前記基台片中に設けた磁性体との間の磁力によって着脱自在に行なえるように構成されていることを特徴とするスマートフォンケース。
（２）前記固定片と前記カバー片の固定が、前記固定片中に設けた磁性体と、前記磁性体とは磁性が異なる前記カバー片中に設けた磁性体との間の磁力によって着脱自在に行なえるように構成されていることを特徴とする（１）に記載のスマートフォンケース。
（３）スマートフォンの裏面のカメラ機能部を除く略全体を覆ってスマートフォンを保持する保持板と、前記保持板が取り付けられる基台片とを備え、前記カバー片と前記基台片とが左右に連結され、スマートフォンを保持した前記保持板を前記基台片の上に重ねて着脱自在に固定し、前記カバー片を前記基台片の前記保持板が取り付けられる側の上に折り畳んで少なくとも前記カバー片の下側と前記基台片の下側、及び前記カバー片の左側と前記基台片の右側とを線ファスナーで開閉自在に接合することによってスマートフォンを覆って保護するように構成されたスマートフォンケースであって、前記保持板と前記基台片の固定が、前記保持板中に設けた磁性体と、前記磁性体とは磁性が異なる前記基台片中に設けた磁性体との間の磁力によって着脱自在に行なえるように構成されていることを特徴とするスマートフォンケース。
（４）前記カバー片の上側と前記基台片の上側とを線ファスナーで開閉自在に接合するように構成されていることを特徴とする（３）に記載のスマートフォンケース。
【考案の効果】
【０００９】
本考案のスマートフォンケースは、スマートフォンを保持する保持板が、磁力によって本体から着脱自在に構成されているので、スマートフォンを本体から容易に離脱して操作しやすく、また、スマートフォンを本体に取り付けた場合はスマートフォンを安全に保護することができる。また、本考案のスマートフォンケースは、使い勝手の良さを維持しながら、高級感のある外観を実現することができる。
【図面の簡単な説明】
【００１０】
【図１】図１は、本考案のスマートフォンケースの第一実施形態の収納完了外観を示す。
【図２】図２は、第一実施形態においてスマートフォンを保持した保持板を示す。
【図３】図３は、第一実施形態において、基台片とカバー片と固定片とからなる本体と、それから分離されたスマートフォンを保持した保持板とを示す。
【図４】図４は、第一実施形態において、スマートフォンを保持した保持板を、基台片とカバー片と固定片とからなる本体に固定した状態を示す。
【図５】図５は、本考案のスマートフォンケースの第二実施形態の収納完了外観を示す。
【図６】図６は、第二実施形態においてスマートフォンを保持した保持板を示す。
【図７】図７は、第二実施形態において、基台片とカバー片とからなる本体と、それから分離されたスマートフォンを保持した保持板とを示す。
【図８】図８は、第二実施形態において、スマートフォンを保持した保持板を、基台片とカバー片とからなる本体に固定した状態を示す。
【考案を実施するための形態】
【００１１】
本考案のスマートフォンケースの実施形態について図面を参照して以下説明するが、本考案は、これらに限定されるものではない。
【００１２】
本考案のスマートフォンケースは、典型例として、（第一実施形態）スマートフォンを保持する保持板を、基台片とカバー片と固定片とからなる本体の中に着脱自在に磁力で固定し、さらに周囲を着脱自在に固定してスマートフォンを収容するスマートフォンケースと、（第二実施形態）スマートフォンを保持する保持板を、基台片とカバー片とからなる本体の中に着脱自在に磁力で固定し、さらに周囲を線ファスナーで閉鎖してスマートフォンケースを収容するスマートフォンケースがあり、いずれの実施形態もスマートフォンを保持する保持板を本体の基台片から磁力で自由に固定したり、離脱させたりすることができることが特徴である。以下、各実施形態を順に説明する。なお、説明中で左右、上下の表現が使われるが、いずれもスマートフォンケース及びスマートフォンの通常の使用方向から見た左右、上下を示す。
【００１３】
（第一実施形態）
本考案の第一実施形態のスマートフォンケース１は、スマートフォンケースの収納完了状態では、スマートフォンが外部から見えず、図１に示すような外観を有するが、基本構成部材としては、図２〜４に示すように、スマートフォンを保持する保持板２と、保持板２が取り付けられる基台片３と、基台片３の上の保持板２を覆うように折り畳むことができるカバー片４と、基台片３を覆うように折り畳まれたカバー片４を覆うように折り畳むことができる固定片５とを備えるものである。スマートフォンを保持する保持板２と、基台片３とカバー片４と固定片５とからなる本体とは、互いに着脱自在になっている。
【００１４】
保持板２は、図２に示すように、スマートフォンの裏面のカメラ機能部を除いて略全体を覆ってスマートフォンを保持するものであり、例えばスマートフォンの長手方向の両側部を挟むようにしてスマートフォンを保持する。保持板２は、例えばプラスチック芯素材に布地やレザー素材を貼ったもので構成されることができ、必要によりストラップの取り付け部が付けられる。保持板２には、外部から確認できない磁性体が中に埋め込まれている。
【００１５】
基台片３は、その上に保持板２が着脱自在に取り付けられる。基台片３は、保持板２と同様に、例えばプラスチック芯素材に布地やレザー素材を貼ったもので構成されることができ、基台片３と固定片５の移行部分に必要によりストラップの取り付け部が付けられる。また、基台片３には、外部から確認できない磁性体が中に埋め込まれている。基台片３中の磁性体と保持板２中の磁性体は、磁性が異なるように構成されており、基台片３の上に保持板２を載せると、両者の磁性体同士の引き付け合う磁力により保持板２が基台片３の上に固定される。
【００１６】
基台片３は、図３、４に示すように、左側にカバー片４が連結され、右側に固定片５が連結されている。即ち、カバー片４と基台片３が左右に連結され、基台片３と固定片５もまた左右に連結されている。これらの連結部には、スマートフォンを取り付けた保持板２の側部の厚み分だけの幅の移行部分がそれぞれ設けられている。カバー片４、固定片５は、いずれも基台片３と同様に、例えばプラスチック芯素材に布地やレザー素材を貼ったもので構成されることができる。
【００１７】
第一実施形態のスマートフォンケースの使用方法としては、まずスマートフォンの裏面に保持板２を当てて保持板２にスマートフォンを保持させる。次に、スマートフォンを保持させた保持板２を基台片３の上に重ねて両者の磁性体同士の磁力により固定する。次に、カバー片４を基台片３の保持板２のスマートフォン保持側の上に折り畳む。次に、固定片５をカバー片４の上に折り畳む。この場合、固定片５のカバー片への固定は、両者の磁性体による磁力によって行なってもよいし、雄雌素材を両者に埋め込んで嵌合させてもよいし、マジックテープ（登録商標）やベルクロ（登録商標）のような面ファスナーを使用して固定してもよい。このようにしてスマートフォンを収容して固定すると、図１に示すような収納完了外観になる。この状態では、保持板２に取り付けられたストラップは、基台片３と固定片５の移行部分又は基台片３とカバー片４の移行部分に移動されていることが好ましい。
【００１８】
（第二実施形態）
本考案の第二実施形態のスマートフォンケース１１は、スマートフォンケースの収納完了状態では、スマートフォンが外部から見えず、図５に示すような外観を有するが、基本構成部材としては、図６〜８に示すように、スマートフォンを保持する保持板１２と、保持板１２が取り付けられる基台片１３と、基台片１３の上の保持板１２を覆うように折り畳むことができるカバー片１４とを備えるものである。スマートフォンを保持する保持板１２と、基台片１３とカバー片１４とからなる本体とは、互いに着脱自在になっている。
【００１９】
保持板１２は、図６に示すように、スマートフォンの裏面のカメラ機能部を除いて略全体を覆ってスマートフォンを保持するものであり、例えばスマートフォンの長手方向の両側部を挟むようにしてスマートフォンを保持する。保持板１２は、例えばプラスチック芯素材に布地やレザー素材を貼ったもので構成されることができ、必要によりストラップの取り付け部が付けられる。保持板１２には、外部から確認できない磁性体が中に埋め込まれている。
【００２０】
基台片１３は、その上に保持板１２が着脱自在に取り付けられる。基台片１３は、保持板１２と同様に、例えばプラスチック芯素材に布地やレザー素材を貼ったもので構成されることができ、基台片１３とカバー片１４の移行部分に必要によりストラップの取り付け部が付けられる。また、基台片１３には、外部から確認できない磁性体が中に埋め込まれている。基台片１３中の磁性体と保持板１２中の磁性体は、磁性が異なるように構成されており、基台片１３の上に保持板１２を載せると、両者の磁性体同士の引き付け合う磁力により保持板１２が基台片１３の上に固定される。
【００２１】
基台片１３は、図７、８に示すように、左側にカバー片１４が連結されている。即ち、カバー片１４と基台片１３が左右に連結されており、この連結部には、スマートフォンを取り付けた保持板１２の側部の厚み分だけの幅の移行部分が設けられている。カバー片１４は、基台片１３と同様に、例えばプラスチック芯素材に布地やレザー素材を貼ったもので構成されることができる。図８のように本体のカバー片１４と基台片１３を開けた状態から図５のような収納完了状態にするためには、カバー片１４の下側と基台片１３の下側、及びカバー片１４の左側と基台片１３の右側をそれぞれ合わせるようにカバー片１４を折り畳み、線ファスナーを動かしてそれらを閉鎖することによって実現することができる。さらに、カバー片１４の上側と基台片１３の上側も合わせて線ファスナーを動かし、その部分を閉鎖することもできる。線ファスナー１５としては、チャック、ジッパー、スライドファスナー等を使用することができる。
【００２２】
第二実施形態のスマートフォンケースの使用方法としては、まずスマートフォンの裏面に保持板１２を当てて保持板１２にスマートフォンを保持させる。次に、スマートフォンを保持させた保持板１２を基台片１３の上に重ねて両者の磁性体同士の磁力により固定する。次に、カバー片１４の下側及び左側と基台片１３の下側及び右側がそれぞれ重なるように、さらに所望によりカバー片１４の上側と基台片１３の上側が重なるようにカバー片１４を基台片１３の保持板１２のスマートフォン保持側の上に折り畳む。次に、線ファスナー１５をつまんで走らせ、重なったカバー片１４の下側と基台片１３の下側、次いでカバー片１４の左側と基台片１３の右側、さらに所望によりカバー片１４の上側と基台片１３の上側を合わせて閉鎖する。このようにしてスマートフォンを収容して固定すると、図５に示すような収納完了外観になる。この状態では、保持板１２に取り付けられたストラップは、基台片１３とカバー片１４の移行部分に移動されていることが好ましい。
【００２３】
本考案のスマートフォンケースの典型例を上に説明したが、上記の実施形態で説明した例の左右の構成部材の位置はこれらに限定されず、完全に逆の位置（右左）に変更してもよいことは言うまでもない。このような左右、上下の位置の変更も本考案の目的を阻害しない限り、本考案の範疇に含まれる。
【産業上の利用可能性】
【００２４】
本考案によれば、使用時と収納時の取り扱い性に優れた高級感のあるスマートフォンケースを提供することができ、スマートフォンケースの業界において極めて有用である。
【符号の説明】
【００２５】
１  スマートフォンケース
２  保持板
３  基台片
４  カバー片
５  固定片
１１  スマートフォンケース
１２  保持板
１３  基台片
１４  カバー片
１５  線ファスナー
【図１】
0003213954.tif 000003
【図２】
0003213954.tif 000004
【図３】
0003213954.tif 000005
【図４】
0003213954.tif 000006
【図５】
0003213954.tif 000007
【図６】
0003213954.tif 000008
【図７】
0003213954.tif 000009
【図８】
0003213954.tif 000010
【手続補正書】
【提出日】平成29年10月4日(2017.10.4)
【手続補正１】
【補正対象書類名】実用新案登録請求の範囲
【補正対象項目名】全文
【補正方法】変更
【補正の内容】
【実用新案登録請求の範囲】
【請求項１】
スマートフォンの裏面のカメラ機能部を除く略全体を覆ってスマートフォンを保持する保持板と、前記保持板が取り付けられる基台片と、前記基台片を覆うカバー片とを備え、前記カバー片と前記基台片とが左右に連結され、さらに前記基台片の右側に固定片が連結して設けられ、スマートフォンを保持した前記保持板を前記基台片の上に重ねて着脱自在に固定し、前記カバー片を前記基台片の前記保持板が取り付けられる側の上に折り畳み、前記固定片を前記カバー片の上に折り畳んで前記固定片と前記カバー片を着脱自在に固定することによってスマートフォンを覆って保護するように構成されたスマートフォンケースであって、前記保持板と前記基台片の固定が、前記保持板中に設けた磁性体と、前記磁性体とは磁性が異なる前記基台片中に設けた磁性体との間の磁力によって着脱自在に行なえるように構成されていることを特徴とするスマートフォンケース。
【請求項２】
前記固定片と前記カバー片の固定が、前記固定片中に設けた磁性体と、前記磁性体とは磁性が異なる前記カバー片中に設けた磁性体との間の磁力によって着脱自在に行なえるように構成されていることを特徴とする請求項１に記載のスマートフォンケース。
【請求項３】
スマートフォンの裏面のカメラ機能部を除く略全体を覆ってスマートフォンを保持する保持板と、前記保持板が取り付けられる基台片と、前記基台片を覆うカバー片とを備え、前記カバー片と前記基台片とが左右に連結され、スマートフォンを保持した前記保持板を前記基台片の上に重ねて着脱自在に固定し、前記カバー片を前記基台片の前記保持板が取り付けられる側の上に折り畳んで少なくとも前記カバー片の下側と前記基台片の下側、及び前記カバー片の左側と前記基台片の右側とを線ファスナーで開閉自在に接合することによってスマートフォンを覆って保護するように構成されたスマートフォンケースであって、前記保持板と前記基台片の固定が、前記保持板中に設けた磁性体と、前記磁性体とは磁性が異なる前記基台片中に設けた磁性体との間の磁力によって着脱自在に行なえるように構成されていることを特徴とするスマートフォンケース。
【請求項４】
前記カバー片の上側と前記基台片の上側とを線ファスナーで開閉自在に接合するように構成されていることを特徴とする請求項３に記載のスマートフォンケース。